(57)【要約】本発明は、１つの外カバー及び１つの内カバーから構成された積み重ね可能でアクセス自由なディスクケースに関する。外カバー（１０）は、リブ（１１及び１４）を有し適切な積み重ね及びケース間の旋回の阻止を保証する。ディスクベースとしても働く内カバー（２０）は、ディスクへのアクセス及びそのディスクの取り出しを可能にするために外カバーに対して旋回する。複数のケースが、プラットフォーム（３０）上に積み重ねられ得る。このプラットフォーム（３０）は、内カバー（２０）を操作する時の連続した積み重ねた物と積み重ねた物との間の衝突を回避する最小距離を保証する。
2005524588.tif 000002
【特許請求の範囲】
【請求項１】
カバー間でケースを合致させるリブを有し、相対的な旋回を阻止する１つの外カバー及び１つの内カバーから構成された積み重ね可能でアクセス自由なディスクケースにおいて、内ケースは、ケースを積み重ねたものから取り外すことなしにディスクを取り出すことを可能にする軸周りに回転するディスクベースとして働き、複数のケースが、台座上に積み重ねられ得、連続した積み重ねられた物と積み重ねられた物との間の衝突を回避する最小距離を保証するケース。
【請求項２】
カバーは、正方形又は長方形である請求項１に記載のケース。
【請求項３】
カバーの角のうちの１つの角が円い、請求項１に記載のケース。
【請求項４】
ディスクは、任意の寸法である請求項１に記載のケース。
【発明の詳細な説明】
【技術分野】
【０００１】
本発明は、シングルケースをスタックから取り外すことなしに、それ故にディスクの最初の分類を保持しつつ上下に積み重ねることができ、同時にこのケースからディスクを取り出すことのできるコンパクト及びＤＶＤディスクケースに関する。
【背景技術】
【０００２】
市場で入手可能なＣＤ及びＤＶＤ宝石ケースは、これらのケースの良好な整合を保証するケース間の基準点を有さないので、これらのＣＤ及びＤＶＤ宝石ケースは適切な積み重ねを可能にしない。さらに、存在するケースの開きシステム、ブックソートは、ケースを積み重ねた物から強制的に取り外し続いてケースを開いてディスクを取り出すので、このケースは、シングルケースを積み重ねた物から取り外すことなしにディスクを取り出すことを可能にしない。
従来のケースは長方形であり、ディスクは円形である。ディスクの保護が角を円くしたケースで作られ得るので、無意味な余分な材料が存在する。
【発明の開示】
【発明が解決しようとする課題】
【０００３】
本発明の課題は、上記の欠点を解消することにある。
【課題を解決するための手段】
【０００４】
この課題は、請求項１に記載のケースによって解決される。
【発明を実施するための最良の形態】
【０００５】
本発明は、分類された積み重ね及び簡単なディスクの取り出しを可能にするＣＤ及びＤＶＤケースから構成される。
このケースは、ディスクの上部を保護する外カバー及びディスクの下部を保護する内カバーから構成され、かつ下のシングルケースの外カバーの上面に合致する。
外カバーは、適切に整合された積み重ねを保証し、かつ内カバーを操作する時にこの外カバーの回転の阻止を保証する。
内カバーは、ディスクベースでもある。
本発明のケースの主な特徴は、材料を節約する目的で回転軸及びハンドルを含む角以外の全ての角が円い点である。
【０００６】
外カバー及び内カバーは、ラベル用の固定要素を有する。
ディスクの取り出しを可能にする積み重ねた物と物との間の最小距離を保証するため、及び２０ユニットより大きい高さで積み重ねた物の安定性を高めるため、台座が作られている。この台座は、カバーと合致するリブを有する。
このケースの主な利点は：
１．ディスクの完全に整合された積み重ね及び分類。
２．最初の搭載分類を維持したディスクの簡単な取り出し。ケースがラック内で分類されていない従来の宝石ケースの場合、ディスクが積み重ねた物から取り出した後に、ユーザは、そのディスクを積み重ねた物の上に置いて積み重ねた物の並びを絶えず変える。
３．材料の節約による低製造コスト。
４．ケースの厚さが従来の宝石ケースの厚さよりも薄いので、収納容量がより大きい。
５．積み重ねた物からの１枚のディスクの取り出しに対して、１回の操作で済む。
【０００７】
図１は、本発明の外観を示す。この場合、内カバーは、ディスクが取り出され得る位置まで外カバーに対して旋回される。
図２は、図１中の部分「ＡＡ’」を示す。
外カバー（１０）は：
→外カバーの下面の外形に合致するリブ（１１）を有し、内カバーを開ける間の摩擦を回避するため、リブ（１１）「ｅ」の厚さは、下面（１２）「Ｅ」内の外カバーの厚さよりも小さく、
→内カバー（２０）の軸（２１）が貫通している２つの孔（１３）を有し、
→外カバーの回転ストッパとして働く外形（１４）及びその他の外形（１５）を有し、
→ラベルを固定する要素（１７）を有する。
【０００８】
内カバー（２０）は：
→ディスクを中心合わせする要素（２２）を備えたディスクベースを有し、
→指でディスクを取り出すハンドルとして使用される外形（２３）を有し、
→外カバーの外壁（１６）が内カバー（２０）の旋回を阻止する領域内でケースを密閉する外壁（２４）を有し、
→内カバー内でラベルを固定する要素（２５）を有する。
図３は、複数のケースが積み重ねられる台座を示す。２つのリブ（３１）及び（３２）が、リブ（１１）と同様に外形（１２）に合致する。積み重ねた物と積み重ねた物との間の距離「Ｂ」は、最も近い積み重ねた物との衝突なしに積み重ねた物の内カバーを旋回させてディスクを取り出すことを可能にする。
【０００９】
連続した積み重ねた物の対の強固な整合を提供するため、台座は、連結要素（３３）及び（３４）から構成される。
最も安価な製造方法は、合成樹脂の注入である。
説明した３つの要素：外カバー，内カバー及び台座は、材料の流れ又は潜在的な問題なしに注入成形で作ることができる。
一般に、外カバーは透明なプラスチックで作られ、内カバーは黒色のプラスチックで作られる。
【図面の簡単な説明】
【００１０】
【図１】本発明の外観を示す。
【図２】図１中の部分「ＡＡ’」を示す。
【図３】複数のケースが積み重ねられる台座を示す。
【符号の説明】
【００１１】
１０  外カバー
１１  リブ
１２  外形
１３  孔
１４  外形
１５  外形
１６  外壁
１７  要素
２０  内カバー
２１  軸
２２  中心合わせ要素
２３  外形
２４  外壁
２５  要素
３０  台座
３１  リブ
３２  リブ
３３  連結要素
３４  連結要素
【図１】
2005524588.tif 000003
【図２】
2005524588.tif 000004
【図３】
2005524588.tif 000005
【手続補正書】
【提出日】平成16年3月18日(2004.3.18)
【手続補正１】
【補正対象書類名】特許請求の範囲
【補正対象項目名】全文
【補正方法】変更
【補正の内容】
【特許請求の範囲】
【請求項１】
１つの外カバー（１０）及び１つの内カバー（２０）から構成され、この内カバー（１０）はディスクを受ける要素（２２）を有する積み重ね可能でアクセス自由なディスクケースにおいて、この外カバー（１０）は、互いに平行な上面及び下面を有し、この外カバー（１０）はその上面にピン及びリブを有し、かつその下面にこれらのピン及びリブに合致するケース積み重ね用の複数の開口部を有すし、この内カバー（２０）は、外カバー（１３）の上面及び下面内の２つの孔にそれぞれ係入する１本の旋回軸（２１）を有することを特徴とする積み重ね可能でアクセス自由なディスクケース。
【請求項２】
積み重ねた物のシングルケースのうちの幾つかのシングルケースの単一内カバーを開ける時に、シングルケースが垂直に整合して不動に積み重ねられていてケース間で旋回しないように、ピン及びリブが位置決めされ形成されていることを特徴とする請求項１に記載の積み重ね可能でアクセス自由なディスクケース。
【請求項３】
カバーは、正方形又は長方形の外形を有することを特徴とする請求項１に記載の積み重ね可能でアクセス自由なディスクケース。
【請求項４】
カバーは、１つ以上の円い角を有することを特徴とする請求項１に記載の積み重ね可能でアクセス自由なディスクケース。
【請求項５】
ディスクは、任意の寸法を有することを特徴とする請求項１に記載の積み重ね可能でアクセス自由なディスクケース。
【請求項６】
外カバーは、シングルケースの携帯パックを締め付けるベルト用の収納部を有することを特徴とする請求項１に記載の積み重ね可能でアクセス自由なディスクケース。
【請求項７】
外カバー及び内カバーは、ラベル（１７；２５）用の配置を有することを特徴とする請求項１に記載の積み重ね可能でアクセス自由なディスクケース。
【請求項８】
請求項１〜７のいずれか１項に記載のディスクケースを積み重ねるための台座において、この台座は、その上面に外カバー（２０）の下面の開口部に合致するピン及びリブを有し、この台座の一方の縁部に台形の連結要素を有し、この台座のその反対側の縁部に合致する台形の開口部を有し、連続した複数の台座の整合を可能にすることを特徴とする台座。
【請求項９】
台座のピン及びリブ間の距離が、連続した台座の最も近い積み重ねた物との干渉なしに積み重ねた物のシングルカバーの開口を可能にする請求項８に記載の台座。
【手続補正２】
【補正対象書類名】明細書
【補正対象項目名】０００２
【補正方法】変更
【補正の内容】
【０００２】
市場で入手可能なＣＤ及びＤＶＤ宝石ケースは、これらのケースの良好な整合を保証するケース間の基準点を有さないので、これらのＣＤ及びＤＶＤ宝石ケースは適切な積み重ねを可能にしない。さらに、存在するケースの開きシステム、ブックソートは、ケースを積み重ねた物から強制的に取り外し続いてケースを開いてディスクを取り出すので、このケースは、シングルケースを積み重ねた物から取り外すことなしにディスクを取り出すことを可能にしない。
従来のケースは長方形であり、ディスクは円形である。ディスクの保護が角を円くしたケースで作られ得るので、無意味な余分な材料が存在する。
ケース間の合致する基準を有し、ディスクベースを旋回させることによってディスクにアクセス可能であり、３つの角が円い２つの単一部分から構成され、ケースのラックを構成可能な台座を有する単一の積み重ねケースの背景はない。
最も類似した従来の技術は、ＰＣＴ／ＡＵ97/00481である。
【特許文献１】ＰＣＴ／ＡＵ97/00481
【手続補正３】
【補正対象書類名】図面
【補正対象項目名】図１
【補正方法】変更
【補正の内容】
【図１】
2005524588.tif 000006
【手続補正４】
【補正対象書類名】図面
【補正対象項目名】図２
【補正方法】変更
【補正の内容】
【図２】
2005524588.tif 000007
【手続補正５】
【補正対象書類名】図面
【補正対象項目名】図３
【補正方法】変更
【補正の内容】
【図３】
2005524588.tif 000008
【国際調査報告】
2005524588.tif 000009
2005524588.tif 000010
2005524588.tif 000011
2005524588.tif 000012